(57)【要約】【課題】ウォブルに制御データを有する光学媒体を提供する。【解決手段】光学媒体は、ウォブルに符号化される補助情報（１１６）及び制御データ（１１８）を有する。制御データは、ドライブが補助情報に対して許可されている動作、又は要求される動作を指定する。たとえば、制御データは、媒体を読み取っているドライブが補助情報の領域を出力する可否（２０４、２０６）を指定するために使用することができる。別法として、制御データは、書き込みドライブが補助情報の一部を媒体上の書き込み可能エリアにコピーする可否（３０４、３０６）を指定するために使用することができる。【選択図】図２
2008521154.tif 000002
【特許請求の範囲】
【請求項１】
ウォブルに符号化される第１の情報及び第２の情報と、
該光学媒体を読み取っているドライブが前記第２の情報を出力する可否を指定する前記第１の情報中のデータと
を含む光学媒体。
【請求項２】
前記第２の情報は、
復号化データ
を含む
請求項１に記載の光学媒体。
【請求項３】
ウォブルに符号化される制御データが転送可を指定する場合のみ、光学媒体のウォブルに符号化される情報を該ドライブ外に転送するコントローラ
を備える光学媒体用ドライブ。
【請求項４】
ドライブにより、ウォブルに符号化される制御データを読み取ることと、
前記制御データが、補助情報の所定の領域を出力してはならないことを指定する値を有する場合、前記ドライブにより、ウォブルに符号化される補助情報の前記所定の領域中の情報の出力を拒絶することと
を含む方法。
【請求項５】
書き込み可能エリアと、
ウォブルに符号化される補助情報と、
ウォブルに符号化される制御データであって、書き込みドライブが前記補助情報又は該補助情報を変換したものを前記書き込み可能エリアにコピーする可否を指定する、制御データと
を含む光学媒体。
【請求項６】
コントローラであって、ウォブルに符号化される制御データが、該コントローラによる情報のコピーの許可を指定する場合のみ、光学媒体のウォブルに符号化される該情報を該光学媒体の書き込み可能エリアにコピーするコントローラ
を備える光学媒体用ドライブ。
【請求項７】
ウォブルに符号化される補助情報と、
ウォブルに符号化される制御データと、
所定の領域を有する書き込み可能エリアと
を含み、
前記制御データは、互換ドライブが、ウォブルに符号化される前記補助情報を前記書き込み可能エリアの前記所定の領域中のデータと比較しなければならないことを指定する
光学媒体。
【請求項８】
前記制御データは、前記書き込み可能エリアの前記所定の領域中の前記データが破損している場合、前記ドライブに、前記書き込み可能エリアの前記所定の領域に前記補助データをコピーすることを要求することをさらに指定する
請求項７に記載の光学媒体。
【請求項９】
前記制御データは、前記書き込み可能エリアの前記所定の領域中の前記データが破損している場合、前記ドライブに、前記補助データを変換したバージョンを前記書き込み可能エリアの前記所定の領域にコピーすることを要求することをさらに指定する
請求項７に記載の光学媒体。
【請求項１０】
コントローラであって、ウォブルに符号化される制御データにより、該コントローラに、光学媒体のウォブル領域に符号化される情報を該光学媒体の書き込み可能エリア中のデータと比較することを要求することが指定される場合、その比較を行うコントローラ
を備える光学媒体用ドライブ。
【請求項１１】
光学媒体のウォブルに符号化される制御データをドライブにより読み取ることと、
前記制御データにより比較が指定される場合、前記ドライブにより、前記光学媒体の書き込み可能エリア中の情報が該光学媒体のウォブルに符号化される情報と一致することを確認することと
を含む方法。
【請求項１２】
前記光学媒体の前記書き込み可能エリア中の前記情報が該光学媒体のウォブルに符号化される前記情報と一致しない場合、前記ドライブにより、前記光学媒体のウォブルに符号化される前記情報を該光学媒体の前記書き込み可能エリアにコピーすること
をさらに含む請求項１１に記載の方法。
【発明の詳細な説明】
【技術分野】
【０００１】
［背景］
本発明は、包括的には、情報の記憶に使用される光学媒体及び情報の記憶に使用される光学媒体を読み取るドライブに関する。
【背景技術】
【０００２】
デジタル光学媒体は、種々の目的で種々の情報、たとえばオーディオ及びビデオ等のエンターテイメントデータ、及び、テキストファイル及び多くのデータファイル等のコンピュータデータに使用される。一般に、ドライブ又はホストシステムは、物理的な媒体から特定のデータを要求することができ、いくつかの特定のデータへのアクセスを制御する必要があるとともに、ドライブの動作を制御する必要がある。特にエンターテイメントデータの場合、コピー保護、コピー制御、復号化鍵のセキュリティ、及び暗号化されていないデータへのアクセス制限という一般的な必要性がある。たとえば、統合エンターテイメントシステムでは、暗号化されたデータを読み取っているドライブは、そのデータを内部で復号化し、その結果生成されるデータを統合ディスプレイに送る。ドライブがディスプレイの周辺にある場合、暗号化されたデータをディスプレイに送るようにドライブに要求することができ、次いでデータがディスプレイ内で復号化される。さらなる例として、ビデオディスクによっては特定の地理的領域のみでの使用を意図され、信頼できるドライブのみに制限付きビデオデータの読み取りを許可すべきである。光学媒体に記憶されている情報へのアクセスを制御する継続した必要性がある。
【特許文献１】国際公開第２００４／０７５１８７号
【特許文献２】米国特許第５９２３７５４号
【特許文献３】欧州特許出願公開第０９３０６１４号
【特許文献４】欧州特許出願公開第１５０５５９３号
【発明の開示】
【発明が解決しようとする課題】
【０００３】
本発明は、ウォブルに制御データを有する光学媒体を提供することを目的とする。
【課題を解決するための手段】
【０００４】
上記目的を達成するために、本発明にかかる光学媒体は、ウォブルに符号化される第１の情報及び第２の情報と、該光学媒体を読み取っているドライブが前記第２の情報を出力する可否を指定する前記第１の情報中のデータとを含む。
【発明を実施するための最良の形態】
【０００５】
［説明］
情報記憶のためのデジタル光学媒体によっては、たとえばコンパクトディスク（ＣＤ）及びデジタル多用途ディスク（ＤＶＤ）によっては、各データ面がランドグルーブ構造を有し、ランド及び／又はグルーブは正弦波半径方向配置（sinusoidal radial displacement）（ウォブルと呼ばれる）を有する。ユーザ情報（たとえば、オーディオデータ、ビデオデータ、又はコンピュータデータ）はグルーブ、ランド、又は両方に記録することができる。さらなるシステム情報（たとえば、フォーマット情報、制御情報、及び補助情報）をウォブルに符号化することができる。たとえば、ＣＤでは、グルーブウォブルが時間情報を符号化するように周波数変調される。より最近のＤＶＤでは、ウォブルは、アドレス情報及びさらなる補助情報、たとえば復号化鍵を符号化するように周波数変調又は位相変調することができる。
【０００６】
本発明の実施形態例では、光学媒体のウォブルに符号化される制御データがドライブの動作を指定する。制御データに応じて、ドライブは、ウォブルに符号化される補助情報に対して指定の動作をとることを禁止、許可、要求、又は要請される。第１の例では、ウォブルに符号化される制御データは、ドライブがこれもまたウォブルに符号化される補助データをドライブ外に送信する可否を指定する。第２の例では、ウォブルに符号化される制御データは、ドライブがウォブルに符号化される補助データ（又は補助データを変換したもの）を媒体の書き込み可能エリアにコピーすることを許可されているか否か（又は要求されているか否か）を指定する。第３の実施形態例では、ウォブルに符号化される制御データは、ドライブがウォブルに符号化される補助データを媒体の書き込み可能エリアに書き込まれたデータと比較することを要求されているか否かを指定する。
【０００７】
図１Ａは、光学ディスク１０２を含むドライブ１００の一実施形態例を示す。光学ヘッド１０４が、レンズ系１０６を通してディスク１０２上のランドグルーブ構造を見る。コントローラ１０８が信号を光学ヘッド１０４からデジタル情報に変換する。デジタル情報は、ウォブルに符号化されるユーザデータ及び情報を含む。コントローラ１０８は、ホスト装置１１０と通信する。ドライブ１００はホスト１１０の一部であってもよく、任意選択的に、図示するケーブルによってホストに接続された周辺機器であってもよく、又は任意選択的に、周辺機器であってホストとワイヤレス通信してもよい。
【０００８】
図１Ｂは、半径方向のウォブル（例示のために誇張されている）を有するディスク１０２上のデータトラック１１２を示す。図１Ｂの例では、ウォブルの位相は位置１１４で反転する。位相反転のパターンが２値である１と０を定義し、情報がウォブルの位相反転のパターンに符号化される。別法として、ウォブルは情報を符号化するように周波数変調することができる。アドレッシング、物理的なトラッキング、又はフォーマットのために使用される情報をディスクのウォブル又は他の物理的な構造に符号化できる他の方法もあり、本発明にとって具体的な符号化方法は重要ではない。図１Ｂでは、ユーザデータ及び／又はディスク上の書き込み可能エリアは、ウォブルエリア間のデータトラック１１２に配置される。図１Ｂのウォブルはデータトラック１１２の各側に対称に示されることに留意されたい。対称ウォブルが最も一般的であるが、一般に、ウォブルは非対称であってもよく、又はデータトラックの片側のみにあってもよい。
【０００９】
ディスク１０２は、たとえば、単一のらせん状のトラックを有してもよく、又はたとえば、複数の同心トラックを有してもよい。本発明にとってトラック数は重要ではない。図１Ｃは、光学ディスク１０２上のトラックの一部である領域１１６（又は部分、セグメント、ブロック）を示す。領域１１６はウォブルに符号化される補助情報を含む。説明の便宜上、図１Ｃ中の領域１１６は、ディスクの１回転の約１／４として示される。しかし、「領域」という言葉は、トラック（複数可）の一部を意味することが意図される。すなわち、領域１１６のウォブルに符号化される情報は、トラック全体（単一のらせん状トラックがある場合）又はトラックのセット（同心円の円形トラックがある場合）のウォブルに符号化される全情報の一部である。図１Ｃには、ウォブルに埋め込まれた制御情報を含む、光学ディスク１０２上のトラックの第２の領域（又は部分、セグメント、ブロック）１１８も示される。制御情報は図１Ｃに示すように補助情報と別個であってもよく、又は補助情報に含まれてもよい。
【００１０】
ウォブルに符号化される補助情報の例は復号化情報である。復号化情報がウォブルに符号化される場合、媒体は、ドライブがウォブルに符号化される情報のその部分をドライブ外に送信する可否を指定する必要があり得る。たとえば、図１Ａ及び図１Ｃでは、領域１１８中の制御情報は、ドライブが領域１１６の補助情報をドライブ外に送信する可否を指定することができる。
【００１１】
具体例として、提案される一フォーマットは、補助情報を、ウォブルに符号化される拡張フォーマット情報（Extended Format Information）と呼ばれるデータ構造で指定する。拡張フォーマット情報の一部はディスクキーブロック（Disk Key Block）と呼ばれる領域である。ディスクキーブロックは復号化情報を含む。本発明の第１の実施形態の具体例によれば、制御バイト中の１ビットは、ドライブがディスクキーブロック内の復号化情報をドライブ外に送信する可否を指定する。具体例では、制御バイトはディスクキーブロックとは別の位置で符号化される。
【００１２】
図２は方法例を示す。ステップ２００において、ドライブがウォブルに符号化される制御データを読み取る。ステップ２０２において、ドライブは、制御データの値が補助データのドライブ外への送信を禁止しているか否かを判断する。エクスポートが許可されている場合、ステップ２０４において、ドライブは補助データをドライブ外に送信する。エクスポートが許可されていない場合は、ステップ２０６において、ドライブは補助データのエクスポートを拒絶する。
【００１３】
ドライブによっては、ウォブルに符号化される情報を読み取ることができないものもある。ウォブル内に多数のドライブによりアクセス可能である必要がある情報がある場合、時に、書き込みドライブがウォブルに符号化される情報の部分を媒体の書き込み可能エリアにコピーすることが望ましいことがある。別法として、書き込みドライブがウォブルに符号化される情報を変換したものを媒体の書き込み可能エリアにコピーすることが望ましいことがある。変換された情報の一例として、ウォブルに符号化されるデータを、書き込み可能エリアに書き込む際に暗号化してもよく、又はウォブル中のデータは書き込み可能エリア中のデータの暗号化された形態であってもよい。別の例として、ウォブルに符号化されるデータは、書き込み時に異なるフォーマットで符号化されてもよい。しかし、ウォブルに符号化される情報によっては、たとえば復号化鍵は、媒体の書き込み可能エリアへのコピーを阻止することが望ましいことがある。たとえば、図１Ｃでは、領域１１８中の制御情報の第１の値は、書き込みドライブが領域１１６中の補助情報をユーザデータに使用されるディスクの部分にコピーできることを指定することができ、領域１１８中の制御情報の第２の値は、ドライブが領域１１６中の補助情報をディスク上のユーザデータエリアにコピーしてはならないことを指定することができる。これに代えて、又はこれに加えて、制御データは、書き込みドライブが補助データ又は補助データを変換したものをユーザデータエリアにコピーしなければならないことを指定してもよく、又は、補助データ又は補助データを変換したもののユーザエリアへのコピーが任意であることを指定してもよい。
【００１４】
図３は一方法例を示す。ステップ３００において、ドライブはウォブルに符号化される制御データを読み取る。ステップ３０２において、ドライブは、制御データの値が補助データのコピーを禁止するか否かを判断する。コピーが禁止されている場合、ステップ３０４において、ドライブは補助データをコピーしない。コピーが禁止されていない場合、ステップ３０６において、ドライブは補助データ（又は補助データを変換したもの）をディスクの書き込み可能エリアにコピーすることができる（制御データの値は、コピーが要求されることを指定してもよく、又はコピーが任意であることを指定してもよい）。補助データがディスクの書き込み可能エリアにコピーされる場合、そのデータが後に不良になったり、上書きされたり、変更されたりする可能性がある。たとえば、データは、非準拠システムによって不注意に、又は制御プロセスの転覆を図って、たとえばコピー保護システムの破壊を図って悪意を伴って、上書き又は変更される恐れがある。ウォブルでの別の有用な制御パラメータは、ウォブルの補助データを読み取り可能なドライブが、媒体の書き込み可能エリアにある補助データのコピーが損なわれていない状態であることを確認しなければならないことを指定する制御データである。たとえば、図１Ｃにおいて、領域１１８の制御データの第１の値は、読み取りドライブが領域１１６中の補助データを読み取り、領域１６中の補助データをディスクの書き込み可能エリアの所定の領域中のデータと比較しなければならないことを指定することができる。書き込み可能エリアのデータは補助データを変換したものである場合があるため、ディスクの書き込み可能エリアのデータが必ずしも補助情報と同一である必要がないことに留意されたい。領域１１８中の制御情報の第２の値が、書き込み可能エリア中のデータが破損している場合にドライブが何を行わなければならないかを指定することができる。任意選択的に、確認ドライブが書き込み可能ドライブである場合、パラメータは、書き込み可能エリアのデータが破損している場合、確認ドライブが補助データ又は補助データを変換したものをディスクの書き込み可能エリアに再コピーしなければならないことを指定することができる。別法として、たとえば、書き込み可能エリア中のデータが破損している場合、ドライブに、ディスクの部分の読み出しを拒絶する等の何らかの他の動作をとることを求めることができる。
【００１５】
図４は一方法例を示す。ステップ４００において、ドライブはウォブルにある制御データを読み取る。次に、確認が要求される場合（ステップ４０２）、ステップ４０４において、ウォブルの補助データ（又はそのデータを変換したもの）の領域が、補助データのコピーを含むと考えられる書き込み可能エリアのデータ領域と比較される。次いで、書き込みエリアのバージョンが破損している場合（ステップ４０６）、ステップ４０８において、ドライブコントローラは適切な動作をとる。すべてのドライブがウォブルに符号化される情報を読み取ることができるわけではないため、ステップ４０２を「要求する」ものとして説明した。制御データによって指定された動作は、ドライブがウォブルに符号化される情報を読み取ることができる場合、確認を要求することができる。
【図面の簡単な説明】
【００１６】
【図１Ａ】本発明を実施することができるシステム例を示す。
【図１Ｂ】図１Ａのシステムにおいてディスクのウォブルに符号化される情報の例を示す。
【図１Ｃ】制御情報の領域及び補助情報の領域の各例を有する、図１Ａに示す光学ディスクの平面図である。
【図２】ウォブルに符号化される制御データを使用する方法の一実施形態例のフローチャートである。
【図３】ウォブルに符号化される制御データを使用する方法の第２の実施形態例のフローチャートである。
【図４】ウォブルに符号化される制御データを使用する方法の第３の実施形態例のフローチャートである。
【符号の説明】
【００１７】
１００・・・ドライブ
１０２・・・光学ディスク
１０４・・・光学ヘッド
１０６・・・レンズ系
１０８・・・コントローラ
１１０・・・ホスト装置
１１２・・・データトラック
１１６・・・領域
１１８・・・領域
【図１Ａ】
2008521154.tif 000003
【図１Ｂ】
2008521154.tif 000004
【図１Ｃ】
2008521154.tif 000005
【図２】
2008521154.tif 000006
【図３】
2008521154.tif 000007
【図４】
2008521154.tif 000008
【国際調査報告】
2008521154.tif 000009
2008521154.tif 000010
2008521154.tif 000011
2008521154.tif 000012
2008521154.tif 000013